(57)【特許請求の範囲】
【請求項１】
ケース（１）と、ケース上端に配置されて、まつ毛を上下に挟み保持するカーリングヘッド（２）とを備えており、
カーリングヘッド（２）は、ケース上部に突設される整形枠（５）と、整形枠（５）に対して操作機構で接離操作される押圧具（６）とを含み、
ケース（１）は、蓋合わせ状に接合されて部品収容所を区画する前ケース（７）および後ケース（８）を含み、
押圧具（６）と、その操作機構とが、前ケース（７）に作動可能な状態で組み付けられてユニット部品化してあり、
操作機構は、前ケース（７）に前後往復自在に組まれた操作具（３）と、操作具（３）の動作を押圧具（６）の上下スライド方向の動作に変換して押圧具（６）に伝える動作変換機構とからなり、
動作変換機構は、操作具（３）の前後動作を受けて上下揺動する中継ピース（３３）と、中継ピース（３３）の動作を押圧具（６）に伝えるリンク（３４）と、押圧具（６）を待機位置へ向かって復帰付勢する引っ張りコイル形のばね（３５）と、前ケース（７）に固定されて中継ピース（３３）を軸支するブラケット（３６）とからなり、
リンク（３４）は、中継ピース（３３）に相対回動自在に連結されるとともに、ヒンジ部（４４）を介して押圧具（６）と繋がっており、
ばね（３５）は、押圧具（６）と前ケース（７）との間に配置されて、押圧具（６）を復帰付勢しており、
押圧具（６）の下端がヒンジ部（４４）で支えられ、さらにばね（３５）で下向きに引っ張り付勢されることにより、押圧具（６）が前ケース（７）の内面のスライド面（４５）に密着していることを特徴とするまつ毛カーラー。
【請求項２】
ケース（１）と、ケース上端に配置されて、まつ毛を上下に挟み保持するカーリングヘッド（２）とを備えており、
カーリングヘッド（２）は、ケース上部に突設される整形枠（５）と、整形枠（５）に対して操作機構で接離操作される押圧具（６）とを含み、
ケース（１）は、蓋合わせ状に接合されて部品収容所を区画する前ケース（７）および後ケース（８）を含み、
押圧具（６）と、その操作機構とが、前ケース（７）に作動可能な状態で組み付けられてユニット部品化してあり、
操作機構が、前ケース（７）に往復変化自在に組まれた操作具（３）と、操作具（３）の動作を押圧具（６）の接離方向の動作に変換して、押圧具（６）に伝える動作変換機構と、押圧具（６）ないし動作変換機構に作用して押圧具（６）を待機位置へ向かって復帰付勢するばね（３５）とを含み、
操作具（３）と、動作変換機構と、押圧具（６）とが、互いに連動可能な状態で前ケース（７）に組み付けられており、
動作変換機構の構成部品のひとつが、前ケース（７）に連結固定してあり、
押圧具（６）が前ケース（７）で往復スライド自在に案内支持されており、
押圧具（６）のスライド領域に臨む前ケース（７）の一部に、前ケース（７）の内面のスライド面（４５）と対向する規制体（４６）が突設されており、
規制体（４６）が押圧具（６）の後面を受け止めていることを特徴とするまつ毛カーラー。
【請求項３】
後ケース（８）の下半部に電池（１７）が収容されており、
操作具（３）の外郭線の一部が、電池（１７）の外郭線と前後に重なる状態で、操作具（３）が前ケース（７）に組み付けてある請求項１または２記載のまつ毛カーラー。
【請求項４】
操作具（３）が前ケース（７）に対して出没する押しボタン型の操作体として構成されており、
操作具（３）の出没ストロークの一部が、電池（１７）の上部外郭線と重なるように、操作具（３）が前ケース（７）に組み付けてある請求項１または２記載のまつ毛カーラー。
【請求項５】
操作具（３）がその下部に設けた支軸（３８）を中心にして、前後方向へ出没揺動可能に支持されており、
操作具（３）の支軸（３８）が、前ケース（７）に設けた軸受座（４０）で受け止められて、軸受座（４０）と対向する位置に設けた規制具（６３）で抜け外れ不能に保持固定してある請求項３または４記載のまつ毛カーラー。
【請求項６】
軸受座（４０）と前後に対向する電池（１７）の表面が規制具（６３）を兼ねている請求項５記載のまつ毛カーラー。
【請求項７】
軸受座（４０）と対向する後ケース（８）の内面に、支軸（３８）を保持固定する規制具（６３）が突設してある請求項５記載のまつ毛カーラー。
【請求項８】
押圧具（６）の内部にくせ付け促進用のヒーター（５０）が配置されており、
押圧具（６）と後ケース（８）との間のケース内空所に、ヒーター（５０）の駆動を制御する制御回路が実装された回路基板（１９）を配置している請求項１から７のいずれかひとつに記載のまつ毛カーラー。
【請求項９】
後ケース（８）の上部後面に、整形枠（５）を照射する照明具（２０）が配置されており、
前記回路基板（１９）に照明具（２０）のリード線を直接結線して、回路基板（１９）が照明具（２０）の支持具を兼ねている請求項８記載のまつ毛カーラー。
【請求項１０】
ケース（１）が、蓋合わせ状に接合される前ケース（７）および後ケース（８）と、これら両ケース（７・８）の下部に外嵌係合して、両ケース（７・８）を分離不能に保持するスリーブ（９）と、スリーブ（９）の下方に突出する後ケース（８）に対して、ケース下方から着脱可能に外嵌係合する化粧ケース（１０）とからなる請求項１から９のいずれかひとつに記載のまつ毛カーラー。
【請求項１１】
化粧ケース（１０）が、内ケース（２５）と、内ケース（２５）に外嵌する、透明ないし半透明の外ケース（２６）とで二重筒状に形成されており、
内外の両ケース（２５・２６）の間に、装飾シート（２７）が巻装してある請求項１０記載のまつ毛カーラー。
【請求項１２】
後ケース（８）の電池収容部（１４）の一部と、内ケース（２５）の一部のそれぞれに、軸心方向に沿う平坦壁（１４ａ・２５ａ）が形成されており、
電池収容部（１４）の平坦壁（１４ａ）に沿って通電用のリード板（４７）を配置し、
内ケース（２５）の平坦壁（２５ａ）と外ケース（２６）との間において、装飾シート（２７）の周方向端縁どうしが内外に重ねてある請求項１１記載のまつ毛カーラー。
【請求項１３】
外ケース（２６）の内面と、装飾シート（２７）の外面のいずれか一方に、装飾シート（２７）の密着を防ぐ微少凹凸（２８）が形成してある請求項１１または１２記載のまつ毛カーラー。  
【発明の詳細な説明】
【０００１】
【発明の属する技術分野】
この発明は、まつ毛を押圧具と整形枠とで上下に挟んでくせ付けを行う、手動式のまつ毛カーラーに関する。
【０００２】
【従来の技術】
この種のまつ毛カーラーは、例えば特許第２９１６３６７号公報に公知である。そこでは、ケースの上端に設けた整形枠と、スライドしながら整形枠に接離する押圧具とで、まつ毛を上下に挟んでくせ付する。押圧具を上下にスライド操作するために、ケースの下半部に揺動自在な操作レバーを設け、ケース内に操作レバーの前後揺動動作を上下動作に変換して押圧具へ伝える動作変換機構を設けている。動作変換機構は、操作レバーで前後揺動操作される第１レバーと、第１レバーの動きを受けて上下揺動する第２レバーと、第２レバーの動作を受け継ぐスライドリンクおよび第２レバーを復帰付勢するばねとからなる。押圧具はスライドリンクと一体に形成してある。
【０００３】
【発明が解決しようとする課題】
上記のように、多くの部品で構成した押圧具用の操作機構は、全ての部品をケースに組み込んだ後、動作確認を行って、各部品が正常に作動するのを確かめる必要がある。動作確認の結果、操作機構の動作が不完全である場合には、以後の部品組立を中止し、組立途中品をライン外へ除去する。除去された全ての組立途中品は、分解されて動作不良の原因を究明したうえで、使用できる部品を回収する。
【０００４】
このように、メカニカルな動作部品を多く含むまつ毛カーラーにおいては、操作機構の全部品をケースに組み付けてからでないと、部品の不良や異常を発見できず、殆どの場合は、操作機構を組み付けた時点で組立工程の大半を終えているので、多くの手間と時間とが無駄になってしまう。さらに、組立途中品の分解や、動作不良の原因究明に要する手間も少なくはなく、生産性を向上するうえで問題がある。
【０００５】
この発明の目的は、仮り組みした時点で操作機構の動作確認を行うことができ、従って動作不良を早期に発見して、無駄になる組み立ての手間を大幅に減少できるうえ、以後に行われる動作不良の原因究明や部品回収に要する手間も少なくて済むまつ毛カーラーを提供することにある。この発明の他の目的は、押圧具の操作機構を仮り組みした時点でその状態を自己保持でき、従って、仮り組みされた操作機構を１個のユニット部品として取り扱うことができ、以後の組立作業を容易にしかも迅速に行えるまつ毛カーラーを提供することにある。
【０００６】
【課題を解決するための手段】
この発明のまつ毛カーラーは、ケース１と、ケース上端に配置されて、まつ毛を上下に挟み保持するカーリングヘッド２とを備えている。カーリングヘッド２は、ケース上部に突設される整形枠５と、整形枠５に対して操作機構で接離操作される押圧具６とを含む。ケース１は、蓋合わせ状に接合されて部品収容所を区画する前ケース７および後ケース８を含む。押圧具６と、その操作機構とが、前ケース７に作動可能な状態で組み付けてユニット部品化する。
【０００７】
上記の操作機構は、前ケース７に前後往復自在に組まれた操作具３と、操作具３の動作を押圧具６の上下スライド方向の動作に変換して、押圧具６に伝える動作変換機構とからなる。動作変換機構は、操作具３の前後動作を受けて上下揺動する中継ピース３３と、中継ピース３３の動作を押圧具６に伝えるリンク３４と、押圧具６を待機位置へ向かって復帰付勢する引っ張りコイル形のばね３５と、前ケース７に固定されて中継ピース３３を軸支するブラケット３６とからなる。
【０００８】
リンク３４は、中継ピース３３に相対回動自在に連結されるとともに、ヒンジ部４４を介して押圧具６と繋がっている。ばね３５は、押圧具６と前ケース７との間に配置されて、押圧具６を復帰付勢している。押圧具６の下端がヒンジ部４４で支えられ、さらにばね３５で下向きに引っ張り付勢されることにより、押圧具６が前ケース７の内面のスライド面４５に密着していることを特徴とする。
【０００９】
または、上記の操作機構は、前ケース７に往復変化自在に組まれた操作具３と、操作具３の動作を押圧具６の接離方向の動作に変換して、押圧具６に伝える動作変換機構と、押圧具６ないし動作変換機構に作用して押圧具６を待機位置へ向かって復帰付勢するばね３５とを含む。操作具３と、動作変換機構と、押圧具６とは、互いに連動可能な状態で前ケース７に組み付ける。動作変換機構の構成部品のひとつを、前ケース７に連結固定する。
【００１０】
押圧具６を前ケース７で往復スライド自在に案内支持する。押圧具６のスライド領域に臨む前ケース７の一部に、前ケース７の内面のスライド面４５と対向する規制体４６を突設する。規制体４６が押圧具６の後面を受け止めていることを特徴とする。
【００１１】
後ケース８の下半部に電池１７を収容する。操作具３の外郭線の一部が、電池１７の外郭線と前後に重なる状態で、操作具３を前ケース７に組み付ける。
【００１２】
操作具３は前ケース７に対して出没する押しボタン型の操作体として構成する。操作具３の出没ストロークの一部が、電池１７の上部外郭線と重なるように、操作具３を前ケース７に組み付ける。
【００１３】
操作具３はその下部に設けた支軸３８を中心にして、前後方向へ出没揺動可能に支持する。操作具３の支軸３８は、前ケース７に設けた軸受座４０で受け止められて、軸受座４０と対向する位置に設けた規制具６３で抜け外れ不能に保持固定する
【００１４】
軸受座４０と前後に対向する電池１７の表面で規制具６３を兼ねる。
【００１５】
軸受座４０と対向する後ケース８の内面に、支軸３８を保持固定する規制具６３を突設する。
【００１６】
押圧具６の内部にくせ付け促進用のヒーター５０を配置する。押圧具６と後ケース８との間のケース内空所に、ヒーター５０および電装品の動作を制御する制御回路が実装された回路基板１９を配置する。
【００１７】
後ケース８の上部後面に、整形枠５を照射する照明具２０を配置する。前記回路基板１９に照明具２０のリード線を直接結線して、回路基板１９が照明具の支持具を兼ねるようにする。
【００１８】
ケース１は、蓋合わせ状に接合される前ケース７および後ケース８と、これら両ケース７・８の下部に外嵌係合して、両ケース７・８を分離不能に保持するスリーブ９と、スリーブ９の下方に突出する後ケース８に対して、ケース下方から着脱可能に外嵌係合する化粧ケース１０とで構成する。
【００１９】
化粧ケース１０は、内ケース２５と、内ケース２５に外嵌する、透明ないし半透明の外ケース２６とで二重筒状に形成する。内外の両ケース２５・２６の間に、装飾シート２７を巻装する。
【００２０】
後ケース８の電池収容部１４の一部と、内ケース２５の一部のそれぞれに、軸心方向に沿う平坦壁１４ａ・２５ａを形成する。電池収容部１４の平坦壁１４ａに沿って通電用のリード板４７を配置する。内ケース２５の平坦壁２５ａと外ケース２６との間において、装飾シート２７の周方向端縁どうしを内外に重ねる。
【００２１】
外ケース２６の内面と、装飾シート２７の外面のいずれか一方に、装飾シート２７の密着を防ぐ微少凹凸２８を形成する。
【００２２】
【発明の作用効果】
蓋合わせ状に接合される前ケース７と後ケース８とを含んでケース１を構成し、押圧具６と、その操作機構とを前ケース７に作動可能な状態で組み付けてユニット部品化するので、押圧具６および操作機構を前ケース７に仮り組みした状態で、操作機構と押圧具３が正常に作動するか否かの動作確認を行える。従って、従来のまつ毛カーラーに比べて、操作機構および押圧具６の動作不良を、組立工程の早い段階で発見でき、その分だけ無駄になる組み立ての手間と動作不良の原因究明や回収に要する手間を軽減できる。
【００２３】
押圧具６とその操作機構を前ケース７に組み付けてユニット部品化するので、前ケース７を後ケース８に組み付ける際の手間を著しく軽減でき、以後の組立作業を容易にしかも迅速に行える。押圧具６とその操作機構の前ケース７への仮り組み作業も容易化できる。
【００２４】
操作具３と動作変換機構と、復帰用のばね３５等で操作機構を構成し、動作変換機構の構成部品のひとつを前ケース７に締結具４２で締結固定したまつ毛カーラーによれば、先の締結具４２を締結固定するだけで、動作変換機構を仮り組み状態に保持して、操作機構の動作確認を行えるうえ、動作不良が発見された場合には、締結具４２を取り外すだけで操作機構の全体を前ケース７から分解する際の手間をさらに軽減できる。
【００２５】
押圧具６とその操作機構を前ケース７に仮り組みしてユニット化した状態において、押圧具６は自重で前ケース７から離れる向きへ遊動できる。この押圧具６の遊動を防ぐための規制体４６を設けておくと、ユニット部品化された前ケース７の以後の取り扱いを容易化して、前ケース７と後ケース８との組立時の作業性を向上できるうえ、押圧具６の動作確認をより確実に行える。
【００２６】
押圧具６を待機位置へ向かって復帰付勢するためのばね３５を利用して、このばね３５が先の規制体４６を兼ねる操作機構によれば、部品の追加や構造の不可を伴うことなく押圧具６の遊動を規制できるので、その分だけ操作機構の構造を簡素化し、コストを削減できる。
【００２７】
前ケース７の一部に設けた規制体４６で押圧具６の遊動を阻止する操作機構によれば、仮り組み時に押圧具６を規制体４６に差し込み装着するだけで、その遊動を規制できるうえ、規制体４６を前ケース７と一体に成形しておくことにより、部品数が増えるのを阻止できる。
【００２８】
操作具３の外郭線の一部が、電池１７の外郭線と前後に重なるように、操作具３を前ケース７に組み付けると、先の両外郭線が重なる分だけ上下寸法を小さくして、まつ毛カーラーを小型化しコンパクトに構成できる。
【００２９】
操作具３を押しボタン状に構成しておいて、その出没ストロークの一部が電池１７の上部外郭線と重なるようにしたまつ毛カーラーによれば、操作具３の出没ストロークと電池１７の上部外郭線とが重なる分だけ、ケース１の前後寸法を短くできるうえ、押し込み操作された操作具３を電池１７で受け止めることにより、操作具３がストローク限界を越えて過剰に押し込み操作されるのを阻止できる。従って、操作具３の過剰操作に伴う故障、例えば押圧具６に設けたゴム製の毛受体４９が整形枠５に過剰に押し付けられて、その端が千切れるなどの故障を未然に防止できる。
【００３０】
前ケース７に対して操作具３を前後方向へ出没揺動可能に支持し、その下部に設けた支軸３８を、前ケース７の軸受座４０で受け、さらに軸受座４０と対向する位置に設けた規制体４６で保持固定するまつ毛カーラーによれば、操作具３の前ケース７に対する仮り組みを簡単に行えるうえ、組立完了状態においては、支軸３８が軸受座４０から浮き離れるのを確実に阻止して、操作具３の前後出没動作を円滑に行える。
【００３１】
上記の規制体４６として電池１７を利用する場合には、別途規制体４６を設ける必要がないので、構造の簡素化に寄与できる。また、電池１７に代えて、商用電源を用いる場合には、後ケース８に規制体４６を設けておくことにより、支軸３８の浮き離れを確実に防止できる。
【００３２】
押圧具６の内部にくせ付け促進用のヒーター５０を配置し、その制御用の回路基板１９を押圧具６と後ケース８との間のケース内空所に配置すると、ヒーター５０と回路基板１９を接続するリード線の長さを小さくできるので、押圧具６が整形枠５に接離するための余裕を考慮に入れた場合にも、先のリード線をケース１に止め付けて固定するための構造を省略でき、その分だけケース構造を簡素化できる。
【００３３】
後ケース８の上部に整形枠５用の照明具２０を設け、そのリード線を回路基板１９に直接結線して、回路基板１９で照明具２０を支持する形態によれば、照明具２０を遊動不能に支え保持するための構造を省略し、その分だけ後ケース８の内部構造を簡素化できる。
【００３４】
蓋合わせ状態に接合される前ケース７と後ケース８を、両ケース７・８に外嵌係合するスリーブ９で分離不能に保持し、さらに、スリーブ９の下方から突出する後ケース８に対して、着脱可能に化粧ケース１０を外嵌係合したケース構造によれば、電池交換のために化粧ケース１０を取り外す際に、スリーブ９を含むケース上部を握って、まつ毛カーラーを保持できるので、化粧ケース１０の抜き外し操作を確実にしかも容易に行える。さらにスリーブ９で前後ケース７・８を分離不能に保持するので、化粧ケース１０の着脱時に  前後ケース７・８の接合面が離れて、そこに指先等を挟んでしまうのを防止できる。化粧ケース１０を外した状態でまつ毛カーラーを取り落としてしまった場合にも、前後ケース７・８が落下衝撃を受けてばらばらに分離するのを防止できる。
【００３５】
化粧ケース１０を内ケース２５と、透明ないし半透明の外ケース２６とで二重筒状に形成し、両ケース２５・２６の間に装飾シート２７を介装したまつ毛カーラーによれば、装飾シート２７を変更するだけで、見かけの印象が異なるシリーズ商品を安価に提供できるうえ、外ケース２６を介して装飾シート２７を見ることになるので、着色形成したケースと同様の深みのある色合いを表現できる。
【００３６】
後ケース８の電池収容部１４の一部に平坦壁１４ａを設け、この平坦壁１４ａに沿ってリード板４７を配置するので、リード板４７を安定保持でき、電池１７の出し入れ時にリード板４７が遊動するのを阻止できる。さらに、先の平坦壁１４ａに対応して内ケース２５に平坦壁２５ａを設けることにより、外ケース２６と内ケース２５の平坦壁２５ａとの間に他より大きな隙間を形成できるので、この隙間を利用して、内外の両ケース２５・２６の間に巻装した装飾シート２７の周方向端縁どうしを無理なく内外に重ねることができる。
【００３７】
外ケース２６の内面と、装飾シート２７の外面のいずれかに微少凹凸２８を形成すると、装飾シート２７が外ケース２６に密着して、モアレ模様状の密着模様が生じるのを阻止し、装飾シート２７の見かけの印象を向上できる。
【００３８】
【実施例】
図１ないし図１４はこの発明に係るまつ毛カーラーの実施例を示す。図２および図３においてまつ毛カーラーは、縦長筒状のケース１を有し、その上端にまつ毛を上下に挟んでくせ付けするためのカーリングヘッド２を設け、ケース１の上部正面と右側面のそれぞれに操作具３と電源スイッチ４を設けてなる。カーリングヘッド２は、ケース１の上端後面に突設される門形の整形枠５と、整形枠５に対して操作機構で接離操作される押圧具６とからなる。電源スイッチ４は、ヒーター５０への通電をオン・オフし、あるいは照明具２０への通電をオン・オフする。
【００３９】
図４においてケース１は、前後に分割されて蓋合わせ状に接合される前ケース７および後ケース８と、これら両ケース７・８の下部に外嵌装着されるスリーブ９と、グリップを兼ねる化粧ケース１０とで構成する。前ケース７は、半割筒状の下半部と、下半部に連続して上端へ向かって徐々に左右幅が拡がる扇形の上半部とを有し、下半部の前面中央に操作具３用の開口１２を設ける。ケース上半部の前面壁はケース前面から見て内凹み状に湾曲され、その上端縁がまつ毛の湾曲線に沿って上凸状に湾曲してある。また、内凹み状の湾曲面の全体は、ケース１の筒中心軸に対してケース後面へ向かって傾斜させてあり、この後傾する内凹み面に沿って先の押圧具６が接離スライドする。
【００４０】
後ケース８は、筒状に形成される下半側の電池収容部１４と、前ケース７が接合される上半の機構収容部１５とを有し、後方へ向かって膨出形成される機構収容部１５の上端後面に先の整形枠５を一体に成形してなる。電池収容部１４の前面には出入口１６が開口してあり、この出入口１６から電池１７を出し入れできる。図７に示すように出入口１６と正対する電池収容部１４の後部に平坦壁１４ａを形成し、平坦壁１４ａに沿って通電用のリード板４７を配置している。機構収容部１５の内面下部には、電池１７用の端子板１８を配置し、内面上部には回路基板１９を配置する（図５参照）。機構収容部１５の上部壁は、前ケース７の側へ向かって上り傾斜し、しかも押圧具６に沿う湾曲壁で形成し、その左右中央に整形枠５を照らすための照明具２０を配置する（図３参照）。電池１７は、後述するヒーター５０を駆動し、照明具２０および回路基板１９に駆動電流を供給する。
【００４１】
スリーブ９は、上下が開口する円筒状のプラスチック成形品からなり、その前面および側面に操作具３用の切欠２２と電源スイッチ４用の切欠とを設けてなる。先の前後ケース７・８を蓋合わせ接合した後、スリーブ９を両ケース７・８の下部に外嵌し、さらに図８に示すようにスリーブ９の上縁後側の爪２４を後ケースの係合穴に係合することにより、前後ケース７・８を分離不能に保持固定できる。
【００４２】
化粧ケース１０は、電池収容部１４に外嵌する内ケース２５と、内ケース２５に外嵌する外ケース２６とで二重筒状に形成し、両ケース２５・２６の間に装飾シート２７を巻装してなる。内ケース２５は有底筒状に形成し、その上端にフランジを張り出し、底壁に固定穴を通設する。内ケース２５の後面中央には、電池収容部１４の平坦壁１４ａに対応する平坦壁２５ａが形成してある。この平坦壁２５ａと外ケース２６との間において、装飾シート２７の周方向端縁どうしを内外に重合させている（図７参照）。装飾シート２７は、着色されたポリカーボネイト製のシートの表面に、微粒上のプラスチックチップを接着して形成してありプラスチックチップを接着することにより微少凹凸２８を形成して、シート表面が外ケース２６に密着するのを防ぎ、さらに光輝性を与えて高級感を発揮できるようにしている。
【００４３】
外ケース２６は透明なプラスチック材を素材にして有底筒状に形成し、その内底に溶着突起２９が突設してある。外ケース２６に装飾シート２７を装着し、さらに先の溶着突起２９に内ケース２５の底壁に通設した固定穴と係合ばね３０を嵌め、突起の端部を溶融変形させることにより、内外の両ケース２５・２６を一体化する。図６に示すように係合ばね３０は、後ケース８の下部周面に形成した周回溝３１と係合して、後ケース８に装着した化粧ケース１０を抜け止め保持している。係合ばね３０に抗して化粧ケース１０を後ケース８から抜き外すと、出入口１６を開放して電池１７の交換を行うことができる。
【００４４】
押圧具６をスライド操作する操作機構は、前ケース７で前後揺動可能に支持した操作具３と、操作具３の動作を上下スライド方向の動作に変換して押圧具６に伝える動作変換機構とからなる。図８ないし図１０において動作変換機構は、操作具３の前後揺動動作を受けて上下揺動する三角状の中継ピース３３と、中継ピース３３の動作を押圧具６に伝えるリンク３４と、押圧具６を退入付勢する引っ張りコイル形のばね３５および先の中継ピース３３を軸支するブラケット３６とからなる。
【００４５】
図８および図１０に示すように、操作具３は内向きに開口する角ボタン状の成形品からなり、その下端面側に支軸３８を突設し、上端に中継ピース３３を押圧する突片３９を設けてなる。操作具３を前ケース７の内側面から開口１２に嵌め、先の支軸３８をケース内面に設けた軸受座４０に嵌めこむことにより、操作具３は支軸３８を中心にして前後揺動できる。
【００４６】
中継ピース３３は、三角形状の左右壁と、左右壁どうしを繋ぐ中間壁とを備えており、中間壁の前端に操作具３の突片３９と連接する受動部３７を設ける。左右壁の前上隅に通設した揺動穴を、ブラケット３６に設けたピン４１で軸支することにより、中継ピース３３はピン４１の回りに上下揺動できる。図１３に示すようにブラケット３６は門形の枠体からなり、その左右側壁の外面にピン４１が突設してある。枠体を前ケース７の内面に突設したボスにビス（締結具）４２で固定することにより、ブラケット３６が前ケース７と一体化される。
【００４７】
リンク３４は断面コ字状の枠体からなり、その下端が中継ピース３３の後端にピン４３で相対回動自在に連結してある。ピン４３はリンク３４と一体に形成される。リンク３４はヒンジ部４４を介して押圧具６と繋がっており、従って、図１１に示すように操作具３をケース１内へ押し込み操作すると、その動きが中継ピース３３とリンク３４およびヒンジ部４４を介して押圧具６へ伝えられ、押圧具６は整形枠５へ向かって上昇スライドする。ばね３５は、押圧具６の下端と前ケース７との間に掛止され、その下端側は先に説明したビス４２を利用して固定してある。
【００４８】
ブラケット３６およびばね３５の一端をビス４２で固定し、中継ピース３３をブラケット３６に組み、さらにリンク３４を中継ピース３３に組むことにより、動作変換機構を前ケース７に仮り組みできる。ついで、操作具３を前ケース７に組み、ばね３５の上端を押圧具６に掛止することにより、図１に示すように押圧具３と操作機構の全体を前ケース７に仮り組みでき、この状態で操作具３を押し込み操作し、あるいは中継ピース３３をばね３５に抗して上方揺動操作することにより、各部品が正常に作動しているか否かの動作確認を行える。仮り組み状態における押圧具６の下端は、ヒンジ部４４で支えられ、さらにばね３５で下向きに引っ張り付勢されている。そのため、押圧具６は前ケース７の内面のスライド面４５に密着し、前ケース７から分離することはない。つまりばね３５は、仮り組み状態において、押圧具６が前ケース７から離脱するのを防ぐ規制体４６を兼ねている。
【００４９】
図１０および図１２において、押圧具６は、前ケース７の上部形状に沿って湾曲する、逆台形状のホルダー４８と、ホルダー４８の上端に嵌め込み装着されるゴム製の毛受体４９とからなり、毛受体４９の内部にくせ付け促進用のヒーター５０とサーミスター（温度センサー）５１を配置している。ホルダー４８の上半部には、毛受体４９を装着するための凹部５２を設け、その底壁にヒーター５０およびサーミスター５１のリード線を通す穴を通設する。凹部５２の下側は、ケース後面へ向かって開口する空所５３になっており、その下端両側の通口から、先のリード線を導出できるようにしている。この空所５３は、ホルダー４８に接着固定されるカバー５４で塞がれている。
【００５０】
毛受体４９は、上端に整形枠５のくせ付枠５９を受け止めるための断面Ｖ字状の溝５５を有し、その下面に凹部５２の底壁と接当する前後一対のリブ５６を突設し、このリブ５６の中央に設けた取付部５７にサーミスター５１を嵌め込み装着している（図１２参照）。このように、リブ５６を設けて毛受体４９の下部断面形状を門形にし、毛受体４９と凹部５２との間に隙間を形成すると、隙間内の空気層の断熱作用によって、ヒーター５０の熱が空所５３側へ逃げるのを効果的に阻止できるので、まつ毛のくせ付けに寄与しない熱が無駄に放散されるのを防いで、その分だけ電池１７の消耗をよく防止できる。さらに、サーミスター５１による温度検時の動作遅れをよく防止できる。
【００５１】
図９において整形枠５は、後ケース８の上端両側から立設される一対の腕部５８と、両腕部５８の突端どうしを繋ぐくせ付枠５９とで門形に形成する。このとき図３に示すように、くせ付枠５９の背面両側より左右中央寄りにおいて、くせ付枠５９を両腕部５８で支持することにより、その下縁５９ａの両端外側面を開放し、従来のくせ付枠に比べて、くせ付枠５９の有効幅を拡大し、さらに任意位置にあるまつ毛の形を修正できるようにしている。また腕部５８の突出基端を押圧具６のスライド領域より後方へ遠ざかる側に偏寄配置し、腕部５８の前縁を凹ませることによって、くせ付枠５９の下縁５９ａの両端下方を開放している。なお、くせ付枠５９は、図１１に示すように断面くさび状に形成し、全体が毛受体４９の湾曲形状に対応して、ケース背面側へ向かって外凸状に湾曲され、しかもまつ毛の湾曲線に沿って上凸状に湾曲してある。
【００５２】
先に説明したヒーター５０および照明具２０の動作を制御するために制御回路を設ける。この制御回路は回路基板１９に実装されていて、電源スイッチ４、サーミスター５１およびタイマー回路からの信号を受けて、ヒーター５０の発熱温度を適温に維持し、電源スイッチ４をオン操作した後、ヒーター５０が適温に達した状態で照明具２０を点灯させる。回路基板１９は、図１１に示すように押圧具６と後ケース８との間の空所に配置して、後ケース８に固定する。このように、押圧具６の近傍に回路基板１９を配置し、ヒーター５０およびサーミスター５１から導出したリード線を回路基板１９に接続すると、リード線の長さを極力小さくできので、ケース１の内部にリード線を止めつけるための爪や押え具を設ける必要がなく、その分ケース内構造を簡素化できる。
【００５３】
回路基板１９は照明具２０の支持具を兼ねている。詳しくは、発光ダイオードからなる照明具２０のリード線を回路基板１９に直接半田付けしたうえで、リード線を上向きに折り曲げ、発光部を後ケース８に設けた投光穴６１内へ差し込み装填することにより、照明具２０を遊動不能に固定保持している。
【００５４】
以上のように構成したまつ毛カーラーは、前ケース７に押圧具６と操作具３および動作変換機構を組み付けて１個のユニット部品として取り扱えるようにする。後ケース８には、端子板１８、照明具２０、電源スイッチ４および回路基板１９などを組み付ける。次いで、ヒーター５０およびサーミスター５１のリード線を、回路基板１９に半田付けしたうえで、前ケース７を後ケース８に接合し係合装着する。この接合状態において始めて、押圧具６が前後ケース７・８で前後に挟まれて、上下スライド自在に案内支持されることになる。
【００５５】
一体化した前後ケース７・８の下方からスリーブ９を外嵌して、両ケース７・８を分離不能に固定する。さらに、スリーブ９より下方に突出する後ケース８に化粧ケース１０を外嵌し、その内底の係合ばね３０を後ケース８の周回溝３１に係合させることにより、化粧ケース１０を抜け外れ不能に係合固定できる。使用時には、化粧ケース１０を後ケース８から抜き外して、電池収容部１４を露出させ、そこに２個の電池１７を直列接続状態で装填し、化粧ケース１０を再装填する。
【００５６】
この発明においては、各構成部品の配置形態を以下のように設定して、まつ毛かーラーの小型化とコンパクト化等を実現した。後ケース８の下半部には電池１７を収容しているが、図１４に想像線で示すように操作具３をケース内へ押し込んだときに、電池１７の一部が操作具３の凹内に入り込み、操作具３の外郭線の一部が、電池１７の外郭線と前後に重複して、外郭線が重なる分だけケース１の前後寸法を小さくできるようにした。この場合の操作具３は、上下に往復動するスライドノブであってもよい。
【００５７】
上記の操作具３と電池１７との関係は、ケース１の上下寸法を小さくすることにも役立っている。例えば、操作具３を上側の電池１７の上端より上方に配置する場合には、その分だけケース１の上下長を長くする必要がある。そこで、この発明では、図１１に示すように押しボタン状に形成した操作具３の出没ストロークの一部が、電池１７の上部外郭線と重なるようにして、この重なり部分の分だけケース１の上下寸法を小さくし、しかもケース１の前後寸法を小さくしている。また、電池１７は押し込み操作された操作具３を受け止めて、操作具３の押し込み限界を規定するストッパーを兼ねている。従って、操作具３の過剰な押し込み操作を確実に阻止して、過剰な押し込み操作に基づく故障を防止できる。例えば、押圧具６に設けたゴム製の毛受体４９が整形枠５に過剰に押し付けられて、その端が千切れるなどの故障を未然に防止できる。この場合の操作具３は、前後スライド可能に支持された押ボタン型の操作具であってもよい。なお、操作具３を適正に押し込み操作して、押圧具６を整形枠５に接当させた状態では、図１１に実線で示すように、操作具３の一部と電池１７の外郭線とが前後に重なるが、さらに操作具３が押し込み操作される場合には、操作具３の開口両側縁の上下中途部が電池１７の表面に接当して、それ以上押し込み操作されるのを防いで、電池１７がストッパーとして機能することになる。
【００５８】
電池１７は操作具３の支軸３８が、前ケース７の軸受座４０から脱落するのを確実に防ぐ規制具６３を兼ねている。詳しくは、図１１に示すように、電池収容部１４に電池１７を収容した状態において、上側の電池１７の周面を操作具３の下端中央に接当させて、支軸３８が軸受座４０から分離するのを阻止している。なお、規制具６３は、軸受座４０と対向する後ケース８の内面に突設することができる。
【００５９】
上記の実施例では、押圧具６を復帰付勢するばね３５が規制体４６を兼ねるようにしたが、その必要はない。例えば。図１５に示すように前ケース７のスライド面４５と対向する上端内面に、ホルダー４８を受け止める左右一対の規制体４６を突設して、仮組み状態のホルダー４８が前ケース７から分離するのを阻止できる。この場合のばね３５は捻りコイル形のばねで形成し、このばね３５でリンク３４を押し下げ付勢した。ばね３５の一方のばね腕は前ケース７に当て、他方のばね腕は中継ピース３３の中間壁に当てる。
【００６０】
微少凹凸２８は、装飾シート２７の表面を梨地状に加工して形成でき、あるいは外ケース２６の筒壁内面を梨地状に加工して形成することができる。
【図面の簡単な説明】
【図１】押圧具とその操作機構を前ケースに仮り組みした状態の斜視図である。
【図２】まつ毛カーラーの全体の斜視図である。
【図３】カーリッグヘッドの斜視図である。
【図４】まつ毛カーラーのケースを分解した分解正面図である。
【図５】まつ毛カーラーの縦断側面図である。
【図６】化粧ケースの縦断正面図である。
【図７】図６におけるＡ−Ａ線断面図である。
【図８】動作変換機構を示す縦断側面図である。
【図９】カーリッグヘッドの正面図である。
【図１０】押圧具とその操作機構の分解斜視図である。
【図１１】押圧具を押し込んだ状態の縦断側面図である。
【図１２】押圧具の分解断面図である。
【図１３】動作変換機構の横断平面図である。
【図１４】操作具と電池の関係を示す横断平面図である。
【図１５】操作機構の別実施例を示す斜視図である。
【符号の説明】
１  ケース
２  カーリングヘッド
５  整形枠
６  押圧具
７  前ケース
８  後ケース
３３  中継ピース
３４  リンク
３５  ばね
【図１】
0004544494.tif 000002
【図２】
0004544494.tif 000003
【図３】
0004544494.tif 000004
【図４】
0004544494.tif 000005
【図５】
0004544494.tif 000006
【図６】
0004544494.tif 000007
【図７】
0004544494.tif 000008
【図８】
0004544494.tif 000009
【図９】
0004544494.tif 000010
【図１０】
0004544494.tif 000011
【図１１】
0004544494.tif 000012
【図１２】
0004544494.tif 000013
【図１３】
0004544494.tif 000014
【図１４】
0004544494.tif 000015
【図１５】
0004544494.tif 000016